(57)【要約】【課題】毛髪ストレスを抑制しながら簡便に毛髪施術をすることのできるヘアーアイロンを提供する。【解決手段】第１の挟持部２ｂと第２の挟持部３ｂとで毛髪を挟持するヘアーアイロン１であって、第１の狭持部２ｂと第２の狭持部３ｂの少なくとも一方に毛髪を非接触で加熱する加熱部９０を備え、加熱部９０により非接触で加熱されて矯正可能状態となった毛髪を保持する髪保持部９１を備える。【選択図】図１
2013056023.tif 000002
【特許請求の範囲】
【請求項１】
第１の挟持部と第２の挟持部とで毛髪を挟持するヘアーアイロンであって、
前記第１の狭持部と前記第２の狭持部の少なくとも一方に毛髪を非接触で加熱する加熱部を備え、前記加熱部により非接触で加熱されて矯正可能状態となった毛髪を保持する髪保持部を備えることを特徴とするヘアーアイロン。
【請求項２】
前記第１の狭持部と前記第２の狭持部のうち前記加熱部と対向する側に光を反射する反射部を備えることを特徴とする請求項１記載のヘアーアイロン。
【請求項３】
前記加熱部の外面に所定の波長に反応するコーティングが施されていることを特徴とする請求項１記載のヘアーアイロン。
【請求項４】
前記加熱部の長手方向先端が髪狭持面側を向いていることを特徴とする請求項１記載のヘアーアイロン。
【請求項５】
前記加熱部の外面ガラスに強化部材が挿入されていることを特徴とする請求項１記載のヘアーアイロン。
【請求項６】
前記加熱部を保持する加熱部保持部が弾性構造を備えることを特徴とする請求項１記載のヘアーアイロン。
【発明の詳細な説明】
【技術分野】
【０００１】
本発明は、ヘアーアイロンに関する。
【背景技術】
【０００２】
従来、ヘアーアイロンとして様々なものが提案されている。例えば、特許文献１に記載の携帯用ヘアマネジメント装置は、直流電源と熱伝達中空管、さらに中空管へ熱伝達する熱を発生させるための電球を内部に備えている。この電球はハロゲンであることが望ましく、さらに装置が所望の温度に到達・維持されるための制御回路を備えている。そして、熱源として提案されているハロゲンからの放射エネルギーを使用者の毛髪へ伝達させることを可能とするため、複数の穿孔を熱伝達中空管に備えている。このような携帯用ヘアマネジメント装置では、装置に電力を供給するために電池を利用することとしている。
【先行技術文献】
【特許文献】
【０００３】
【特許文献１】特表２００７−５２２８７４号公報
【発明の概要】
【発明が解決しようとする課題】
【０００４】
しかしながら、特許文献１に記載の携帯用ヘアマネジメント装置には幾つかの課題がある。
【０００５】
まず、根本的問題として、電池での駆動がほぼ不可能であると想定する。すなわち、熱源として提案されているハロゲンを電池電源によって所定の温度まで暖めようとすると、電池のもつ能力の限界以上での駆動が必要であり、電池が非常に高温化する。
【０００６】
また、中空管内部に熱源としてハロゲンランプを設置した場合、ガラス破損などの影響から熱伝導部材との間に空気層を挟む形での設置が必要となる。この結果、伝導伝熱効率は大きく低下してしまい、実際には所望の温度まで熱伝導部材を暖めるために時間を多く要する。このことから、本来は穿孔のような小さな穴ではなく、積極的に光放射（輻射）加熱を使った方式にし、直接的に毛髪水分に働きかけて温度上昇と時間の大幅短縮を図るべきである。
【０００７】
また、毛髪施術時に熱伝導母材による摩擦ストレスと熱ストレスを同時に受けるため、毛髪の損傷度合が大きくなるという課題も有している。
【０００８】
本発明は上記課題を解決するためになされたものであり、その目的は、毛髪ストレスを抑制しながら簡便に毛髪施術をすることのできるヘアーアイロンを提供することである。
【課題を解決するための手段】
【０００９】
本発明は、第１の挟持部と第２の挟持部とで毛髪を挟持するヘアーアイロンであって、前記第１の狭持部と前記第２の狭持部の少なくとも一方に毛髪を非接触で加熱する加熱部を備え、前記加熱部により非接触で加熱されて矯正可能状態となった毛髪を保持する髪保持部を備えることを特徴とする。
【００１０】
また、本発明において、前記第１の狭持部と前記第２の狭持部のうち前記加熱部と対向する側に光を反射する反射部を備えてもよい。
【００１１】
また、本発明において、前記加熱部の外面に所定の波長に反応するコーティングが施されていてもよい。
【００１２】
また、本発明において、前記加熱部の長手方向先端が髪狭持面側を向いていてもよい。
【００１３】
また、本発明において、前記加熱部の外面ガラスに強化部材が挿入されていてもよい。
【００１４】
また、本発明において、前記加熱部を保持する加熱部保持部が弾性構造を備えてもよい。
【発明の効果】
【００１５】
本発明では、毛髪を非接触で加熱する加熱部を備え、加熱部により非接触で加熱されて矯正可能状態となった毛髪を保持する髪保持部を備えている。これにより、毛髪ストレスを抑制しながら簡便に毛髪施術をすることのできるヘアーアイロンを提供することが可能である。
【図面の簡単な説明】
【００１６】
【図１】図１は、第１実施形態にかかるヘアーアイロンの斜視図である。
【図２】図２は、第１実施形態にかかるヘアーアイロンの側面図である。
【図３】図３は、第１実施形態にかかるヘアーアイロンの横断面図である。
【図４】図４は、第１実施形態にかかる別のヘアーアイロンの横断面図である。
【図５】図５は、第１実施形態にかかる別のヘアーアイロンの横断面図である。
【図６】図６は、第１実施形態にかかる別のヘアーアイロンの横断面図である。
【図７】図７は、第２実施形態にかかる別のヘアーアイロンの横断面図である。
【図８】図８は、第２実施形態にかかる別のヘアーアイロンの横断面図である。
【図９】図９は、第４実施形態にかかるヘアーアイロンの横断面図である。
【図１０】図１０は、第５実施形態にかかるヘアーアイロンの横断面図である。
【図１１】図１１は、第６実施形態にかかるヘアーアイロンの横断面図である。
【図１２】図１２は、第６実施形態にかかる別のヘアーアイロンの横断面図である。
【発明を実施するための形態】
【００１７】
以下、本発明の実施形態について図面を参照して詳細に説明する。
【００１８】
（第１実施形態）
以下、本発明の実施形態について図面を参照しながら詳細に説明する。
【００１９】
本実施形態にかかるヘアーアイロン１は、図１の斜視図および図２の側面図に示すように、回動連結部４を介して略Ｖ字状に拡開可能に連結された上側アーム部２および下側アーム部３を備えている。上側アーム部２と下側アーム部３とを回動連結部４を介して相対回動させることで、上側アーム部２および下側アーム部３の先端同士を接離できるようにしている。
【００２０】
上側アーム部２および下側アーム部３の回動連結部４側（ヘアーアイロン１の後側）には、上側把持部（第１の把持部）２ａおよび下側把持部（第２の把持部）３ａがそれぞれ設けられている。一方、ヘアーアイロン１の先端側には、上側挟持部（第１の挟持部）２ｂおよび下側挟持部（第２の挟持部）３ｂがそれぞれ設けられている。上側アーム部２および下側アーム部３を閉じたときに当接可能な面を髪狭持面９４と呼ぶことにする。
【００２１】
上側挟持部２ｂおよび下側挟持部３ｂのそれぞれの背面側の外表面には、毛髪をカールさせるためのカール部２ｄ，３ｄが設けられている。詳細については後述するが、上側挟持部２ｂおよび下側挟持部３ｂには、毛髪を非接触で加熱する加熱部９０が設けられている。加熱部９０により非接触で加熱されて矯正可能状態となった毛髪を髪保持部９１で挟み込み、圧縮や引っ張りを行うことで毛髪に癖付けを施す。
【００２２】
上側アーム部２および下側アーム部３の内部には各種電気部品が収容されている。たとえば、加熱部９０の温度等を制御する制御回路が収容されており、この制御回路に加熱部９０がリード線を介して接続されている。また、下側把持部３ａ側には操作スイッチが設けられており、この操作スイッチを操作することで加熱部９０に対する通電のオン・オフを切り換えることができるようになっている。その他、イオン発生装置や送風ファン、サーミスタなどの各種電気部品が収容されているが、ここでは詳しい説明を省略する。
【００２３】
図３は、第１実施形態にかかるヘアーアイロン１の横断面図である。この図に示すように、上側狭持部２ｂと下側狭持部３ｂの略中央部に加熱部９０を固定部９３で固定している。加熱部９０の両外側には髪保持部９１が設けられ、この髪保持部９１によって上下方向から毛髪を挟み込む構造になっている。加熱部９０は、上側狭持部２ｂと下側狭持部３ｂの少なくとも一方にあればよい。髪保持部９１は、髪狭持面９４おいて対向する位置に一対以上あればよい。
【００２４】
加熱部９０は、毛髪を非接触で加熱する光ヒータやＬＥＤ、ＰＴＣヒータなどである。「非接触で加熱する」とは、従来のような熱伝導部材を介さず直接的に加熱することを意味する。光ヒータは、所望の毛髪形状にするために必要な毛髪矯正エネルギー（たとえば毛髪分子間結合切断エネルギー）を毛髪に対して付加する。光ヒータとしては、毛髪矯正エネルギー波長を効率よく発現するハロゲンヒータが良いが、カーボンヒータや石英ヒータなど種種のヒータを採用することができる。その際、できるだけ遠赤や近赤側波長を発現することが重要である。
【００２５】
毛髪矯正エネルギーを得る方法には大きく２つある。１つは、直接的に分子間結合切断に働きかける波長を得る方法である。もう１つは、毛髪内部水分など毛髪吸収波長に働きかけて熱エネルギー発生を促進し、分子間結合切断に間接的に働きかける方法である。どちらも赤外領域に働きかけるものが良い。これらの結合切断あるいは再結合促進波長を生み出すような特定波長バンドを効果的に出すことができるＬＥＤなどは、安全性の面や構造面でも都合が良く使い勝手に優れている。
【００２６】
赤外線は近赤外線〜中赤外線〜遠赤外線に大別されるが、各々の波長における優位な効果を利用すると高効率化が可能である。たとえば、皮膚などの内部浸透については、皮膚組織反応しやすい近赤外線が優位とされる。また、人体表面などへの作用については、水分吸光度が高く表面水分に反応しやすい遠赤外線が優位とされる。
【００２７】
ハロゲン光は、近赤外線１．０μｍ〜遠赤外線３０μｍまで幅広くかつ光強度も高い特徴をもつので、毛髪水分や内部組織に働きかけるには都合がよい。局所的に毛髪のみへ作用させるために、ハロゲン光波長のうち特定の波長３μ〜３０μｍのみを取り出すようにすると更に効果的である。これにより、皮膚などへの作用を抑制することができ、毛髪のみへの作用を取り出すことが可能となる。特に、特定波長４μｍ、５．７μｍ、７μｍのみを利用したＬＥＤや光源カットは効果的である。
【００２８】
図３では、上側狭持部２ｂと下側狭持部３ｂの両方に加熱部９０を備える構成を例示しているが、本発明はこれに限定されるものではない。たとえば、図４に示すように、上側狭持部２ｂだけに加熱部９０を備えるようにしてもよい。あるいは、図５に示すように、下側狭持部３ｂに２列の加熱部９０を備えることも可能である。この場合、２列の加熱部９０間に髪保持部９１を設けることで、毛髪が加熱部９０に接触する不具合をより確実に回避することができる。また、図６に示すように、上側狭持部２ｂの外郭をなす外郭ハウジングと髪保持部９１との間に弾性バネ９５を設け、髪保持部９１を弾性駆動させてもよい。更に、図示は省略するが、加熱部９０の髪狭持面９４側は透明カバーやメッシュで覆われていてもよい。
【００２９】
髪保持部９１は、毛髪矯正エネルギーを受けて矯正可能状態となった毛髪を保持する。髪保持部９１の材料、形状、構造については、毛髪摩擦ストレスがかかりにくいものを採用するのが適当である。たとえば、弾性駆動する表面摩擦抵抗の小さい高摺動性材料（フッ素、テフロン（登録商標））、表面粗度の小さい材料やコーティングなどが挙げられる。また、できる限り伝導伝熱性の低い材料（木材、プラスチック性など）で構成するのがよい。
【００３０】
髪保持部９１は、光ヒータよりも髪狭持面９４側に飛び出している形状とする。これにより、光ヒータに直接的に毛髪が触れる可能性を排除することができるので、毛髪に想定外の光ヒータ熱がかかることを抑制することが可能となる。また、髪保持部９１が弾性駆動する場合もあることを想定して、弾性駆動下死点になったとしても光ヒータより髪保持部９１の頂部が髪狭持面９４側に飛び出している構造にしておく。髪保持部９１の形状は突起状であるのがよい。面接触よりも線接触の方が同じ使用者の挟み力に対して単位面積当たりの応力は高くなり、毛髪形状矯正性能がよくなる。使用者が必要以上に挟み力をかけた際は、弾性駆動によって使用者不快を解消することができる。髪保持部９１は冷却機能を備えてもよい。その場合、温付加と冷付加を実施できるため、急速温冷で毛髪施術効果がさらに向上する。また、髪保持部９１を冷却した場合は、より毛髪の根元まで髪保持部９１を近づけることが可能となる。
【００３１】
このような構成のヘアーアイロン１を使用した場合の一連の動作を説明する。
【００３２】
まず、髪狭持面９４間に挿入された毛髪は、一対以上の髪保持部９１によって挟み込まれる。このとき、髪保持部９１以外の部分には光ヒータが設置されているため、その部分の毛髪が光ヒータから毛髪矯正エネルギーを受けて軟化矯正可能状態となる。そこで、毛髪をカール部２ｄまたはカール部３ｄに押し当て、ヘアーアイロン１を毛髪に沿って滑らせながら毛先に向けて引き下ろすと、毛髪にカール状の癖付けが施される。ヘアーアイロン１を回転させず毛髪に沿って滑らせながら毛先に向けて引き下ろせば、毛髪へストレート状の癖付けを施すことも可能である。このように、髪狭持面９４間に挿入された毛髪は、施術を受け得る環境を光ヒータによって与えられ、また、形状矯正され得る環境を髪保持部９１によって与えられる。
【００３３】
以上説明したように、本実施形態では、毛髪を非接触で加熱する加熱部９０を備え、加熱部９０により非接触で加熱されて矯正可能状態となった毛髪を保持する髪保持部９１を備えている。これにより、加熱部９０の輻射エネルギーを効率よく利用することができるため、非接触式の毛髪矯正が可能となり、毛髪ストレス、特に熱ストレスと摩擦ストレスの同時負荷を抑制することができる。また、直接的に輻射エネルギーを利用して毛髪に働きかけるので、熱伝導母材の暖め時間が要らず、また施術時間も早くすることが可能である。
【００３４】
更に、光ヒータの種類を適切に選定し、光ヒータのエネルギーを効率的に利用できるため、必要エネルギー効率も上がる。加えて、光ヒータの特徴である輻射を活かし、毛髪には吸収され、その他の部分（本体など）には吸収されないようにしているので、従来の髪加熱装置で問題となっていた本体温度上昇などを回避することができる。
【００３５】
（第２実施形態）
図７は、第２実施形態にかかるヘアーアイロン１の横断面図である。このヘアーアイロン１は、図７に示すように、上側狭持部２ｂに加熱部９０を備えるとともに、下側狭持部３ｂに反射部９６を備えている。これにより、光放射エネルギーを効果的に毛髪に供給することが可能となり、光ヒータの低Ｗ化、エネルギー効率のアップを実現することができる。
【００３６】
反射部９６の機能を効果的に発揮するためには、できるだけ施術時に光の外部漏れを防ぐことが重要である。そこで、髪保持部９１と髪狭持面９４で囲まれた範囲に反射部９６を設置するのがよい。どちらか一方に設置する場合は、集光効果あるいは拡散効果を効率よく反射部９６に付加する。反射部９６の構造としては、ファセット形状を用いたものがより効果的である。材料はＳｉＯ２、Ａｌ２Ｏ３などが適当である。
【００３７】
光ヒータにおける配光の考慮は重要である。反射部９６を設置することによって、より毛髪への光エネルギーを高めることができる。その際、集光と拡散のバランスが重要であり、光ヒータの設置方法、設置配置によって各々考慮する。上側狭持部２ｂと下側狭持部３ｂの一方に反射部９６を設置する場合は、光ヒータ設置側と対向する側に設置する方がよい。光ヒータと対向する側の毛髪への光エネルギー供給に対して、直接的な光エネルギーを受けない対極側の毛髪への光エネルギー供給を確保するためである。もちろん、図８に示すように、上側狭持部２ｂと下側狭持部３ｂの両方に反射部９６を備えてもよい。この場合、加熱部９０の固定部９３に反射機能を持たせることも可能である。
【００３８】
以上説明したように、本実施形態では、加熱部９０と対向する側に光を反射する反射部９６を備えているため、毛髪に対して光エネルギー付加効率を高めることができる。これにより、効率的な光エネルギー供給が可能となり、また低Ｗ化が可能となる。
【００３９】
（第３実施形態）
第３実施形態にかかるヘアーアイロン１では、加熱部９０の外面に所定の波長に反応するコーティングを施している。コーティングに求める機能は、大きく二つのタイプに大別される。１つは、光ヒータの発現する波長に対して促進反応を示すタイプであり、もう１つは、光ヒータの発現する波長に対して必要としない波長をカットすることを目的とするタイプである。前者の場合は、主にトルマリン塗料など近赤外線や遠赤外線などに反応する特性を有しているものがよい。後者の場合は、一般的に人体吸収されやすいとされる遠赤〜近赤外線波長を透過し、その他の波長は外部へ透過しない特性を有するものがよい。もちろん、光ヒータ表面のみならず髪狭持面９４全体にコーティングを施してもよい。
【００４０】
以上説明したように、本実施形態では、加熱部９０の外面に所定の波長に反応するコーティングを施している。そのため、光ヒータ固有の特性のみならず他の特性も毛髪に対して作用させることができるので、毛髪に対しての必要作用を拡大し、不必要作用を遮断することができる。すなわち、遠赤効果を更に高めたり、不必要な過度のストレス（熱ストレスなど）を防ぐことが可能となる。
【００４１】
（第４実施形態）
図９は、第４実施形態にかかるヘアーアイロン１の横断面図である。このヘアーアイロン１では、図９に示すように、加熱部９０の長手方向先端が髪狭持面９４側を向いている。これにより、光ヒータ外郭を構成する石英ガラスなどの強度の一番高い側を露出する形になり、ハロゲンランプなどで危惧されるガラス破損などの影響を抑制することができる。発光作用については、内部フィラメント形状や反射鏡設定で高効率化を補うことが可能である。
【００４２】
以上説明したように、本実施形態では、加熱部９０の長手方向先端が髪狭持面９４側を向いている。そのため、ガラス破損などのリスクに対して強度の高い部分を髪狭持面９４側に設置することが可能である。
【００４３】
（第５実施形態）
図１０は、第５実施形態にかかるヘアーアイロン１の横断面図である。このヘアーアイロン１では、図１０に示すように、加熱部９０の外面ガラスに強化部材９７が挿入されている。強化部材９７としてワイヤなどの線状強化部材を採用すれば、光ヒータ配光や光強度などに影響を与えることなく光ヒータ部品強度を高めることができる。
【００４４】
以上説明したように、本実施形態では、加熱部９０の外面ガラスに強化部材９７が挿入されている。これにより、加熱部９０の外面ガラスの破損リスクを低減し、また、破損時の飛散リスクを低減することが可能である。
【００４５】
（第６実施形態）
図１１は、第６実施形態にかかるヘアーアイロン１の横断面図である。このヘアーアイロン１では、図１１に示すように、加熱部９０を保持する加熱部保持部９８が弾性構造を備えている。具体的には、光ヒータの電源接続コネクタに弾性機能としてスプリングやゴム素材を採用している。これにより、使用中の衝撃などを減衰することができる。このような減衰機構は、長手軸方向さらには短手軸方向にも対応できるような形で構成することが可能である。
【００４６】
以上説明したように、本実施形態では、加熱部９０を保持する加熱部保持部９８が弾性構造を備えている。これにより、使用中の衝撃や振動あるいは落下などの過度の衝撃に対してガラス破損を抑制することができ、また、内部構造へのダメージも抑制することができる。
【００４７】
なお、以上では好適な実施形態について説明したが、本発明は前記実施形態に限定されず、種々の変形が可能である。例えば、図１では、複数の加熱部９０を縦置きで配列しているが、図１２に示すように、円柱状の加熱部９０を１つだけ横置きで設置するようにしてもよい。その他、加熱部９０や髪保持部９１のスペック（形状、大きさ、レイアウト等）は適宜に変更可能である。
【符号の説明】
【００４８】
１  ヘアーアイロン
２ｂ  上側挟持部（第１の挟持部）
３ｂ  下側挟持部（第２の挟持部）
９０  加熱部
９１  髪保持部
９４  髪狭持面
９６  反射部
９７  強化部材
９８  加熱部保持部
【図１】
2013056023.tif 000003
【図２】
2013056023.tif 000004
【図３】
2013056023.tif 000005
【図４】
2013056023.tif 000006
【図５】
2013056023.tif 000007
【図６】
2013056023.tif 000008
【図７】
2013056023.tif 000009
【図８】
2013056023.tif 000010
【図９】
2013056023.tif 000011
【図１０】
2013056023.tif 000012
【図１１】
2013056023.tif 000013
【図１２】
2013056023.tif 000014